(57)【要約】【課題】  １つの情報処理装置で印刷情報の設定から印刷処理までが可能となり、短時間での印刷処理およびシステムの簡素化が図られた情報処理装置、移動通信端末、送り先情報印刷システムおよび送り先情報印刷方法を提供する。【解決手段】  ストック部７は、送り先情報を印刷する印刷媒体をストックし、取得部５は、送り先情報を取得し、表示部６は、送り先情報を表示し、フォーマット特定８は、取得された送り先情報を印刷媒体に印刷するフォーマットを特定し、印刷部１３は、送り先情報を印刷媒体に印刷する。【選択図】  図３
2005178190.tif 000002
【特許請求の範囲】
【請求項１】
送り先情報を印刷する印刷媒体をストックする印刷媒体ストック手段と、
前記送り先情報を取得する情報取得手段と、
前記情報取得手段により取得された前記送り先情報を表示する表示手段と、
前記情報取得手段により取得された前記送り先情報を前記印刷媒体に印刷するフォーマットを特定するフォーマット特定手段と、
前記フォーマット特定手段により特定された前記フォーマットに基づいて前記送り先情報を前記印刷媒体に印刷する印刷手段と、
前記印刷手段により前記送り先情報が印刷された前記印刷媒体を排出する排出手段と、
を備えることを特徴とする情報処理装置。
【請求項２】
前記印刷媒体の数量および／または前記フォーマットに基づいて利用者が支払う料金を算出する料金算出手段と、
前記料金算出手段により算出された料金に基づいて精算を行う精算手段と、
を備えることを特徴とする請求項１記載の情報処理装置。
【請求項３】
前記印刷媒体に印刷される前記送り先情報の印刷態様を前記フォーマット特定手段により特定された前記フォーマットに基づいて加工する送り先情報加工手段を備えることを特徴とする請求項１または２記載の情報処理装置。
【請求項４】
前記送り先情報が印刷される前記印刷媒体の同一面および／または裏面に印刷する画像のテンプレートを特定するテンプレート特定手段を備え、
前記料金算出手段は、前記印刷媒体の数量、前記フォーマットおよび前記テンプレートの少なくとも１つに基づいて利用者が支払う料金を算出することを特徴とする請求項１から３のいずれか１項に記載の情報処理装置。
【請求項５】
前記印刷媒体に印刷される前記画像の印刷態様を前記テンプレート特定手段により特定された前記テンプレートに基づいて加工する画像加工手段を備え、
前記料金算出手段は、前記印刷媒体の数量、前記フォーマット、前記テンプレートおよび前記画像加工手段により加工された画像の少なくとも１つに基づいて利用者が支払う料金を算出することを特徴とする請求項４記載の情報処理装置。
【請求項６】
前記情報取得手段により取得される送り先情報は、郵便番号、住所、氏名および名称の少なくとも１つであることを特徴とする請求項１から５のいずれか１項に記載の情報処理装置。
【請求項７】
前記表示手段は、必要な前記送り先情報のみを選択して表示することを特徴とする請求項１から６のいずれか１項に記載の情報処理装置。
【請求項８】
前記精算手段は、必要な前記送り先情報のみを選択して、前記料金算出手段に対してその選択された送り先情報から得られる前記印刷媒体の数量に基づいて前記利用者が支払う料金を再算出させることを特徴とする請求項１から７のいずれか１項に記載の情報処理装置。
【請求項９】
郵便番号、住所、電話番号、電子メールアドレス、氏名、名称およびグループ種別の少なくとも１つの情報を記憶する記憶手段を備えることを特徴とする移動通信端末。
【請求項１０】
前記記憶手段は、複数の利用者の前記郵便番号、住所、電話番号、電子メールアドレス、氏名、名称およびグループ種別の少なくとも１つの情報を記憶することを特徴とする請求項９記載の移動通信端末。
【請求項１１】
前記記憶手段に記憶される前記郵便番号、住所、電話番号、電子メールアドレス、氏名、名称およびグループ種別の少なくとも１つの情報を出力する情報出力手段を備えることを特徴とする請求項９または１０記載の移動通信端末。
【請求項１２】
ネットワークを介して接続される移動通信端末と、情報処理装置とを含む送り先情報印刷システムであって、
前記移動通信端末は、郵便番号、住所、電話番号、電子メールアドレス、氏名、名称およびグループ種別の少なくとも１つの情報を記憶する記憶手段と、
前記記憶手段に記憶される前記郵便番号、住所、電話番号、電子メールアドレス、氏名、名称およびグループ種別の少なくとも１つの情報を含む送り先情報を前記情報処理装置に出力する情報出力手段と、
を備え、
前記情報処理装置は、前記送り先情報を印刷する印刷媒体をストックする印刷媒体ストック手段と、
前記移動通信端末から前記送り先情報を取得する情報取得手段と、
前記情報取得手段により取得された前記送り先情報を表示する表示手段と、
前記情報取得手段により取得された前記送り先情報を前記印刷媒体に印刷するフォーマットを特定するフォーマット特定手段と、
前記フォーマット特定手段により特定されたフォーマットに基づいて前記送り先情報を前記印刷媒体に印刷する印刷手段と、
前記印刷手段により前記送り先情報が印刷された前記印刷媒体を排出する排出手段と、
を備えることを特徴とする送り先情報印刷システム。
【請求項１３】
送り先情報を取得するステップと、
前記取得するステップにより取得された前記送り先情報を表示するステップと、
前記取得するステップにより取得された前記送り先情報を印刷媒体に印刷するフォーマットを特定するステップと、
前記特定するステップにより特定された前記フォーマットに基づいて前記送り先情報を前記印刷媒体に印刷するステップと、
前記印刷するステップにより前記送り先情報が印刷された前記印刷媒体を排出するステップと、
を有することを特徴とする送り先情報印刷方法。
【請求項１４】
前記印刷媒体の数量および／または前記フォーマットに基づいて利用者が支払う料金を算出するステップと、
前記算出するステップにより算出された料金に基づいて精算を行うステップと、
をさらに有することを特徴とする請求項１３記載の送り先情報印刷方法。
【請求項１５】
前記印刷媒体に印刷される前記送り先情報の印刷態様を前記フォーマット特定手段により特定された前記フォーマットに基づいて加工するステップをさらに有することを特徴とする請求項１３または１４記載の送り先情報印刷方法。
【請求項１６】
前記送り先情報が印刷される前記印刷媒体の同一面および／または裏面に印刷する画像のテンプレートを特定するステップをさらに有し、
前記算出するステップは、前記印刷媒体の数量、前記フォーマットおよび前記テンプレートの少なくとも１つに基づいて利用者が支払う料金を算出することを特徴とする請求項１３から１５のいずれか１項に記載の送り先情報印刷方法。
【請求項１７】
前記印刷媒体に印刷される前記画像の印刷態様を前記テンプレート特定手段により特定された前記テンプレートに基づいて加工するステップを有し、
前記算出するステップは、前記印刷媒体の数量、前記フォーマット、前記テンプレートおよび前記画像加工手段により加工された画像の少なくとも１つに基づいて利用者が支払う料金を算出することを特徴とする請求項１６記載の送り先情報印刷方法。
【発明の詳細な説明】
【技術分野】
【０００１】
本発明は、送り先の宛先情報を取得して、その宛先情報に基づいて印刷媒体への印刷を行うことにより作成時間を短縮化することができる情報処理装置、移動通信端末、送り先情報印刷システムおよび送り先情報印刷方法に関する。
【背景技術】
【０００２】
従来、封筒またははがきを相手先に送る場合には、封筒またははがきを郵便局等で購入し、自宅で封筒またははがきに受取人の宛先として郵便番号、住所および氏名を手書きで記載するとともに差出人の郵便番号、住所および氏名を記載していた。また、はがきの場合には、受取人の宛先を記載した面の裏面に用途にふさわしい文章や絵等を推敲して手書きで記載することが多かったが、近時の各種電子機器装置の一般家庭への普及に伴い、封筒またははがきの印刷は、デジタルカメラ等で撮影した画像データを利用してパーソナルコンピュータ等で宛先データおよび画像データを作成し、パーソナルコンピュータ等に接続されたプリンタで封筒またははがきに宛先および画像を印刷することにより行われることが多くなってきた。
【０００３】
また、年賀状等の特別な用途における封筒またははがきの印刷は、印刷業者へ依頼することも多かった。
【０００４】
ここで、注文から短時間で印刷が完了したはがきの受取を可能とすべく、ディスプレイ装置に表示される印刷スタイルのうちから発注者が所望のものを選択し、入力装置から発注者が差出人の住所氏名情報を入力し、発注者持ちこみの記録媒体から受取人の住所氏名情報を取り込み、これらの印刷スタイルおよび住所氏名情報を情報処理装置が組み合わせ、プリンタではがきに印刷する技術が多く提案されている（例えば、特許文献１参照）。
【特許文献１】特開２００２−４１６０５号公報
【発明の開示】
【発明が解決しようとする課題】
【０００５】
しかしながら、上述した従来例においては次のような問題点があった。
【０００６】
上記特許文献１に記載の従来例は、はがきの印刷スタイルおよび住所氏名情報の組み合わせを実行する情報処理装置の他に別途、はがきの印刷のためにプリンタが必要であり、データ転送に要する時間がかかり、システム構成が複雑となるためコストが高くなり、広い設置場所、メンテナンス等が困難であるという問題点があった。
【０００７】
また、宛先の住所氏名情報の印刷スタイルを自由に特定することができなく、利用者の多様なニーズに応じることが困難であるという問題があった。
【０００８】
そこで、本発明は、１つの情報処理装置で封筒またははがき等の印刷情報の設定から印刷処理までが可能となり、短時間での印刷処理およびシステムの簡素化が図られ、また利用者の多様なニーズを満たし利便性の向上が図られた情報処理装置、移動通信端末、送り先情報印刷システムおよび送り先情報印刷方法を提供することを目的とする。
【課題を解決するための手段】
【０００９】
請求項１記載の発明は、送り先情報を印刷する印刷媒体をストックする印刷媒体ストック手段と、前記送り先情報を取得する情報取得手段と、前記情報取得手段により取得された前記送り先情報を表示する表示手段と、前記情報取得手段により取得された前記送り先情報を前記印刷媒体に印刷するフォーマットを特定するフォーマット特定手段と、前記フォーマット特定手段により特定された前記フォーマットに基づいて前記送り先情報を前記印刷媒体に印刷する印刷手段と、前記印刷手段により前記送り先情報が印刷された前記印刷媒体を排出する排出手段と、を備えることを特徴とする情報処理装置である。
【００１０】
請求項２記載の発明は、請求項１記載の情報処理装置において、前記印刷媒体の数量および／または前記フォーマットに基づいて利用者が支払う料金を算出する料金算出手段と、前記料金算出手段により算出された料金に基づいて精算を行う精算手段と、を備える。
【００１１】
請求項３記載の発明は、請求項１または２記載の情報処理装置において、前記印刷媒体に印刷される前記送り先情報の印刷態様を前記フォーマット特定手段により特定された前記フォーマットに基づいて加工する送り先情報加工手段を備える。
【００１２】
請求項４記載の発明は、請求項１から３のいずれか１項に記載の情報処理装置において、前記送り先情報が印刷される前記印刷媒体の同一面および／または裏面に印刷する画像のテンプレートを特定するテンプレート特定手段を備え、前記料金算出手段は、前記印刷媒体の数量、前記フォーマットおよび前記テンプレートの少なくとも１つに基づいて利用者が支払う料金を算出する。
【００１３】
請求項５記載の発明は、請求項４記載の情報処理装置において、前記印刷媒体に印刷される前記画像の印刷態様を前記テンプレート特定手段により特定された前記テンプレートに基づいて加工する画像加工手段を備え、前記料金算出手段は、前記印刷媒体の数量、前記フォーマット、前記テンプレートおよび前記画像加工手段により加工された画像の少なくとも１つに基づいて利用者が支払う料金を算出する。
【００１４】
請求項６記載の発明は、請求項１から５のいずれか１項に記載の情報処理装置において、前記情報取得手段により取得される送り先情報は、郵便番号、住所、氏名および名称の少なくとも１つである。
【００１５】
請求項７記載の発明は、請求項１から６のいずれか１項に記載の情報処理装置において、前記表示手段は、必要な前記送り先情報のみを選択して表示する。
【００１６】
請求項８記載の発明は、請求項１から７のいずれか１項に記載の情報処理装置において、前記精算手段は、必要な前記送り先情報のみを選択して、前記料金算出手段に対してその選択された送り先情報から得られる前記印刷媒体の数量に基づいて前記利用者が支払う料金を再算出させる。
【００１７】
請求項９記載の発明は、郵便番号、住所、電話番号、電子メールアドレス、氏名、名称およびグループ種別の少なくとも１つの情報を記憶する記憶手段を備えることを特徴とする移動通信端末である。
【００１８】
請求項１０記載の発明は、請求項９記載の移動通信端末において、前記記憶手段は、複数の利用者の前記郵便番号、住所、電話番号、電子メールアドレス、氏名、名称およびグループ種別の少なくとも１つの情報を記憶する。
【００１９】
請求項１１記載の発明は、請求項９または１０記載の移動通信端末において、前記記憶手段に記憶される前記郵便番号、住所、電話番号、電子メールアドレス、氏名、名称およびグループ種別の少なくとも１つの情報を出力する情報出力手段を備える。
【００２０】
請求項１２記載の発明は、ネットワークを介して接続される移動通信端末と、情報処理装置とを含む送り先情報印刷システムであって、前記移動通信端末は、郵便番号、住所、電話番号、電子メールアドレス、氏名、名称およびグループ種別の少なくとも１つの情報を記憶する記憶手段と、前記記憶手段に記憶される前記郵便番号、住所、電話番号、電子メールアドレス、氏名、名称およびグループ種別の少なくとも１つの情報を含む送り先情報を前記情報処理装置に出力する情報出力手段と、を備え、前記情報処理装置は、前記送り先情報を印刷する印刷媒体をストックする印刷媒体ストック手段と、前記移動通信端末から前記送り先情報を取得する情報取得手段と、前記情報取得手段により取得された前記送り先情報を表示する表示手段と、前記情報取得手段により取得された前記送り先情報を前記印刷媒体に印刷するフォーマットを特定するフォーマット特定手段と、前記フォーマット特定手段により特定されたフォーマットに基づいて前記送り先情報を前記印刷媒体に印刷する印刷手段と、前記印刷手段により前記送り先情報が印刷された前記印刷媒体を排出する排出手段と、を備えることを特徴とする送り先情報印刷システムである。
【００２１】
請求項１３記載の発明は、送り先情報を取得するステップと、前記取得するステップにより取得された前記送り先情報を表示するステップと、前記取得するステップにより取得された前記送り先情報を印刷媒体に印刷するフォーマットを特定するステップと、前記特定するステップにより特定された前記フォーマットに基づいて前記送り先情報を前記印刷媒体に印刷するステップと、前記印刷するステップにより前記送り先情報が印刷された前記印刷媒体を排出するステップと、を有することを特徴とする送り先情報印刷方法である。
【００２２】
請求項１４記載の発明は、請求項１３記載の送り先情報印刷方法において、前記印刷媒体の数量および／または前記フォーマットに基づいて利用者が支払う料金を算出するステップと、前記算出するステップにより算出された料金に基づいて精算を行うステップと、をさらに有する。
【００２３】
請求項１５記載の発明は、請求項１３または１４記載の送り先情報印刷方法において、前記印刷媒体に印刷される前記送り先情報の印刷態様を前記フォーマット特定手段により特定された前記フォーマットに基づいて加工するステップをさらに有する。
【００２４】
請求項１６記載の発明は、請求項１３から１５のいずれか１項に記載の送り先情報印刷方法において、前記送り先情報が印刷される前記印刷媒体の同一面および／または裏面に印刷する画像のテンプレートを特定するステップをさらに有し、前記算出するステップは、前記印刷媒体の数量、前記フォーマットおよび前記テンプレートの少なくとも１つに基づいて利用者が支払う料金を算出する。
【００２５】
請求項１７記載の発明は、請求項１６記載の送り先情報印刷方法において、前記印刷媒体に印刷される前記画像の印刷態様を前記テンプレート特定手段により特定された前記テンプレートに基づいて加工するステップを有し、前記算出するステップは、前記印刷媒体の数量、前記フォーマット、前記テンプレートおよび前記画像加工手段により加工された画像の少なくとも１つに基づいて利用者が支払う料金を算出する。
【発明の効果】
【００２６】
本発明の情報処理装置によれば、送り先情報を印刷する印刷媒体をストックする印刷媒体ストック手段と、送り先情報を取得する情報取得手段と、情報取得手段により取得された送り先情報を表示する表示手段と、情報取得手段により取得された送り先情報を印刷媒体に印刷するフォーマットを特定するフォーマット特定手段と、フォーマット特定手段により特定されたフォーマットに基づいて送り先情報を印刷媒体に印刷する印刷手段と、印刷手段により送り先情報が印刷された印刷媒体を排出する排出手段とを設けることにより、１つの情報処理装置で封筒またははがき等の印刷情報の設定から印刷処理までが可能となり、短時間での印刷処理およびシステムの簡素化が図られ、また利用者の多様なニーズを満たし利便性の向上を図ることができる。
【００２７】
本発明の移動通信端末によれば、郵便番号、住所、電話番号、電子メールアドレス、氏名、名称およびグループ種別の少なくとも１つの情報を記憶する記憶手段とを設けることにより、携帯可能な移動通信端末を用いて簡易に送り先情報を登録して保持することができる。
【００２８】
本発明の送り先情報印刷システムによれば、移動通信端末に、郵便番号、住所、電話番号、電子メールアドレス、氏名、名称およびグループ種別の少なくとも１つの情報を記憶する記憶手段と、記憶手段に記憶される郵便番号、住所、電話番号、電子メールアドレス、氏名、名称およびグループ種別の少なくとも１つの情報を含む送り先情報を情報処理装置に出力する情報出力手段とを設け、情報処理装置に、送り先情報を印刷する印刷媒体をストックする印刷媒体ストック手段と、移動通信端末から送り先情報を取得する情報取得手段と、情報取得手段により取得された送り先情報を表示する表示手段と、情報取得手段により取得された送り先情報を印刷媒体に印刷するフォーマットを特定するフォーマット特定手段と、フォーマット特定手段により特定されたフォーマットに基づいて送り先情報を印刷媒体に印刷する印刷手段と、印刷手段により送り先情報が印刷された印刷媒体を排出する排出手段とを設けることにより、１つの情報処理装置で封筒またははがき等の印刷情報の設定から印刷処理までが可能となり、短時間での印刷処理およびシステムの簡素化が図られ、また利用者の多様なニーズを満たし利便性の向上を図ることができるとともに、利用者は、携帯可能な移動通信端末を用いて簡易に送り先情報を入力することができ、また移動通信端末に記憶されている電子メールアドレスの有無あるいはグループ種別を利用してはがき等による郵送の必要の有無を判断したり、特定の用途別に送り先を分類することが容易に行うことができるようになり、利便性の向上が図られる。
【００２９】
本発明の送り先情報印刷方法によれば、送り先情報を取得するステップと、取得するステップにより取得された送り先情報を表示するステップと、取得するステップにより取得された送り先情報を印刷媒体に印刷するフォーマットを特定するステップと、特定するステップにより特定されたフォーマットに基づいて送り先情報を印刷媒体に印刷するステップと、印刷するステップにより送り先情報が印刷された印刷媒体を排出するステップとを設けることにより、封筒またははがき等の印刷情報の設定から印刷処理までが可能となり、短時間での印刷処理および利用者の多様なニーズを満たし利便性の向上を図ることができる。
【発明を実施するための最良の形態】
【００３０】
１つの情報処理装置で封筒またははがき等の印刷情報の設定から印刷処理までが可能となり、短時間での印刷処理およびシステムの簡素化が図られ、また利用者の多様なニーズを満たし利便性の向上が図られた情報処理装置を、送り先情報を印刷する印刷媒体をストックする印刷媒体ストック手段と、送り先情報を取得する情報取得手段と、情報取得手段により取得された送り先情報を表示する表示手段と、情報取得手段により取得された送り先情報を印刷媒体に印刷するフォーマットを特定するフォーマット特定手段と、フォーマット特定手段により特定されたフォーマットに基づいて送り先情報を印刷媒体に印刷する印刷手段と、印刷手段により送り先情報が印刷された印刷媒体を排出する排出手段とを設けることにより実現した。
【実施例１】
【００３１】
本発明の第一の実施例の構成・動作を図を用いて説明する。
【００３２】
図１は、本実施形態における情報処理装置の外観の概略を示す図である。情報処理装置１は、印刷媒体に送り先の住所等を印刷する機能を有しているが、ここで印刷媒体とは、郵送されるものであれば大きさ、厚さ、素材等は問わない。例えば、はがきまたは封筒等である。なお、それ自体が郵送対象ではない、荷物のダンボール箱に貼付される送り状等も含む。
【００３３】
情報処理装置１は、コンビニエンスストア、テーマパーク、デパートまたは遊技場等に設置されてもよい。情報処理装置１が郵便局等の施設内部あるいは近傍に設置されている場合には、利用者が印刷の完了したはがき等を投函する際、郵便ポストを探す手間を省くことができ、利用者の利便性を向上することが可能となる。
【００３４】
ここで、送り先情報とは、はがき等に印刷することにより受取人に配達されることが可能となる情報であればよく、例えば、郵便番号、住所、電話番号、電子メールアドレス、氏名、名称およびグループ種別の少なくとも１つの情報から構成されている。また、文字情報のみでなく、地図等の画像情報を含んでもよい。
【００３５】
図３は、本実施形態における情報処理装置１の構成を示すブロック図である。図３において、情報処理装置１は、ＣＰＵ（Central Processing Unit）４、取得部５、表示部６、ストック部７、フォーマット特定部８、テンプレート特定部９、加工部１０、算出部１１、精算部１２、印刷部１３および排出部１４から構成されている。また、取得部５が参照する郵便番号データベース１５、フォーマット特定部８が参照するフォーマットデータベース１６、テンプレート特定部９が参照するテンプレートデータベース１７および算出部１１が参照する枚数料金データベース１８とデータ数料金データベース１９を備えている。
【００３６】
ＣＰＵ４は、各構成部を含む情報処理装置１の全体の動作を制御する機能を有している。
【００３７】
取得部５は、送り先情報を取得する機能を有している。外部媒体に記憶されている情報を取得するための外部媒体を差し込む機構を備えていてもよい。例えば、ディスケットまたはＣＤ−Ｒ等の受け入れドライブ装置である。また、携帯電話等を直接に差し込み、携帯電話等の内部に設けられている記憶媒体に保存されている情報を読み出す機構を備えていてもよい。また、外部装置とケーブル等を介して接続するためのケーブルの端部を差し込む機構を備えていてもよい。さらに、携帯電話等から無線通信により送信される携帯電話等の内部に設けられている記憶媒体に保存されている情報を受信する機構を備えていてもよい。
【００３８】
表示部６は、取得部５から取り込まれた送り先情報をディスプレイ等に表示する機能を有している。例えば、画面の右側に送り先情報の一覧を表示し、左側に送り先情報が取り込まれたはがき等の印刷イメージを表示する形式であってもよい。
【００３９】
ストック部７は、はがき等の印刷媒体を印刷のために保管しておく機能を有している。有料のはがき等が情報処理装置１を管理する業者等により適宜補充される形態であっても、利用者が自己の嗜好に応じた用紙等を自由に投入可能な形態であってもいずれでもよい。
【００４０】
フォーマット特定部８は、取得部５から取り込まれた送り先情報の印刷フォーマットを決定する機能を有している。印刷フォーマットは、文字の大きさ、字体、太さ、色または色の濃淡等および文字の配置等を規定している。予め用意されている数種類のフォーマットから利用者が任意に選択することができてもよい。また、一の印刷フォーマットがデフォルトで定められており、利用者がフォーマット選択を行うことなくフォーマットが決定されてもよい。これにより、利用者がデザインを考慮する時間を省くことができ、より短時間で印刷を完了することが可能となる。
【００４１】
テンプレート特定部９は、はがき等の送り先情報を印刷する面と反対側の裏面に印刷する文字あるいは画像のテンプレートを決定する機能を有している。テンプレートは、文字のみ、画像のみまたは文字と画像の組み合わせいずれであってもよい。予め用意されている数種類のテンプレートから利用者が任意に選択することができてもよい。また、一のテンプレートがデフォルトで定められており、利用者がテンプレート選択を行うことなくテンプレートが決定されてもよい。これにより、利用者がデザインを考慮する時間を省くことができ、より短時間で印刷を完了することが可能となる。
【００４２】
加工部１０は、フォーマット特定部８で決定したフォーマットの加工およびテンプレート特定部９で決定したテンプレートの加工を行う機能を有している。図４は、送り先情報をはがきに印刷する場合における、一例を示すものである。フォーマットないしはテンプレートから微調整を行うことにより、デザイン決定の効率化を図ることができ、かつ、利用者が自由にはがき等の構成をアレンジすることができ、利用者の多様なニーズを満たす仕上がりが実現される。
【００４３】
算出部１１は、印刷に要する料金を計算する機能を有している。計算方法としては、例えば、データ数に基づく料金計算方法がある。１データ毎に加算しても、所定の範囲内で定額制としてもいずれでもよい。利用促進のために利用者の利用回数あるいはデータ数に応じた割引サービスが付加されてもよい。また、はがき等の有料の印刷媒体の場合には、はがき等の一枚当たりの料金と印刷枚数に基づいて計算された料金を加算してもよい。これにより、利用者は、予めはがき等を郵便局等で購入しておく必要がなくなり、はがき等の購入および印刷が１つの情報処理装置１により同一の場所で同時に行うことができ利便性の向上が図られる。
【００４４】
精算部１２は、算出部１１で計算された料金を精算する機能を有している。投入された硬貨あるいは紙幣を受け取り、釣銭が必要な場合には、所要の金銭を計算して払い戻してもよい。また、現金のみでなく、クレジットカード等によるカード決済機能を有していてもよい。
【００４５】
印刷部１３は、フォーマット特定部８、テンプレート特定部９および加工部１０を経由して特定されたデザインに従って、ストック部７で保管されている、はがき等の印刷媒体に送り先情報あるいは画像等を印刷する機能を有している。
【００４６】
排出部１４は、印刷部１３で送り先情報あるいは画像等が印刷された印刷媒体を利用者が入手できるように排出する機能を有している。例えば、情報処理装置１の筐体の外部に排出する排出口であってもよい。
【００４７】
以上のように構成された実施形態における情報処理装置１の動作について図６に基づいて説明する。
【００４８】
図６は、送り先情報を印刷する処理手順を示す図である。まず、情報処理装置１は、取得部５によりはがき等の印刷媒体に印刷する送り先情報を取得する（Ｓ６０１）。ここで、郵便番号データベース１５を利用して、郵便番号と住所情報の不整合を検知してチェックしてもよい。
【００４９】
次に、表示部６により、取得部５から取り込まれた送り先情報を表示する（Ｓ６０２）。表示された送り先情報を確認して不要な情報を削除することとしてもよい。
【００５０】
そして、フォーマット特定部８により、予め用意されている数種類のフォーマットから利用者が好みの印刷フォーマットを選択する（Ｓ６０３）。そして、テンプレート特定部９により、予め用意されている数種類のテンプレートから利用者が好みのテンプレートを選択してもよい。フォーマット特定およびテンプレート特定は、いずれが先に実行されてもよく、また、いずれか一方のみの特定が行われることとされてもよい。
【００５１】
ここで、フォーマットの選択は、フォーマットデータベース１６に格納されているフォーマットからされることとしてもよい。また、利用者が特定のフォーマットを選択しない場合には、所定のフォーマットが自動的に選択されることとしてもよい。同様に、テンプレートの選択は、テンプレートデータベース１７に格納されているテンプレートからされることとしてもよい。また、利用者が特定のテンプレートを選択しない場合には、所定のテンプレートが自動的に選択されることとしてもよい。さらに、特定のフォーマットと特定のテンプレートが相互に関連付けられて選択されてもよい。
【００５２】
印刷部１３により、フォーマット特定部８で特定されたデザインに従い、ストック部７で保管されている、はがき等の印刷媒体に送り先情報を印刷する（Ｓ６０４）。白黒印刷およびカラー印刷に対応していてもよい。
【００５３】
排出部１４により、印刷部１３で送り先情報が印刷された印刷媒体を利用者が入手できるように排出する（Ｓ６０５）。利用者が印刷の仕上がりを現物を通して視覚により確認することができればよく、必ずしも外部に排出されなくてもよい。
【００５４】
上記実施例によれば、はがき等を郵便局で別途、購入済みである場合における家庭での個人利用に際しても、１つの情報処理装置ではがき等の印刷情報の設定から印刷処理までが可能となり、短時間での印刷処理およびシステムの簡素化を図ることができる。
【実施例２】
【００５５】
本発明の第二の実施例の動作を以下に説明する。情報処理装置１が、料金の算出および精算も行う場合において第一の実施の形態と同様の送り先情報の印刷機能を実現するものである。
【００５６】
情報処理装置１の実質的な構成は、第一の実施の形態と同様である。
【００５７】
以下、本実施の形態の情報処理装置１における処理の流れを説明する。
【００５８】
情報処理装置１が、料金の算出および精算も行う場合において第一の実施の形態と同様の送り先情報の印刷処理手順を示す図である図７を参照すると、情報処理装置１が、取得部５ではがき等の印刷媒体に印刷する送り先情報を取得し、その送り先情報を表示し、そしてフォーマットあるいはテンプレートを特定する動作は、第一の実施の形態と同様である（Ｓ７０１〜７０３）。
【００５９】
算出部１１により、枚数料金データベース１８あるいはデータ数料金データベース１９を参照して印刷に要した料金を計算する（Ｓ７０４）。計算方法は、使用枚数に基づく料金計算方法およびデータ数に基づく料金計算方法がある。所定の枚数ないしはデータ数の範囲内で定額制であってもよく、また割引サービスが付加されていてもよい。枚数料金データベース１８あるいはデータ数料金データベース１９には、種々の料金計算に関する表または計算式等が格納されていてもよい。さらに、フォーマットあるいはテンプレートの種別による課金方法であってもよい。例えば、著名なイラストレータによるテンプレートの場合には、高額な使用料金を設定し、一般人のデザインの場合には、比較的低額あるいは無料としてもよい。
【００６０】
精算部１２により、算出部１１で計算した料金を精算する（Ｓ７０５）。精算方法は、任意の方法であってよく、例えば、現金またはカード決済等である。
【００６１】
以下、情報処理装置１が、印刷部１３で印刷し、そして排出部１４で排出する動作は、第一の実施の形態と同様である（Ｓ７０６、Ｓ７０７）。
【００６２】
上記実施例によれば、フォーマットあるいはテンプレートの差異に基づき、適正な料金を設定することができ、また、１つの情報処理装置ではがき等の印刷情報の設定から印刷処理まで、およびはがき等の購入まで行うことができ、利用者の利便性を高めることができる。
【実施例３】
【００６３】
本発明の第三の実施例の動作を以下に説明する。情報処理装置１が、フォーマットあるいはテンプレートの加工も行う場合において第一の実施の形態および第二の実施の形態と同様の送り先情報の印刷機能を実現するものである。
【００６４】
情報処理装置１の実質的な構成は、第一の実施の形態と同様である。
【００６５】
以下、本実施の形態の情報処理装置１における処理の流れを説明する。
【００６６】
情報処理装置１が、フォーマットあるいはテンプレートの加工も行う場合において第一の実施の形態および第二の実施の形態と同様の送り先情報の印刷処理手順を示す図である図８を参照すると、情報処理装置１が、取得部５ではがき等の印刷媒体に印刷する送り先情報を取得し、その送り先情報を表示し、そしてフォーマットあるいはテンプレートを特定する動作は、第一の実施の形態と同様である（Ｓ８０１〜８０３）。
【００６７】
加工部１０により、Ｓ８０３で特定されたフォーマットあるいはテンプレートをさらに加工するか否かを判断部により判断し、（Ｓ８０４）さらに加工する場合には、加工部１０により、加工処理を行う（Ｓ８０５）。利用者が任意に、字体、大きさ、色、デザイン素材または背景等を選択して、ディスプレイ上で加工し、仕上がりをプレビューにより確認することが可能であってもよい。一方、加工部１０により、さらに加工処理を行わない場合には、算出部１１で料金を計算する（Ｓ８０６）。
【００６８】
以下、情報処理装置１が、算出部１１で料金を計算し、精算部１２で料金を精算し、印刷部１３で印刷し、そして排出部１４で排出する動作は、第二の実施の形態と同様である（Ｓ８０６〜Ｓ８０９）が、算出部１１での料金計算は、加工に要するデータ数等を反映して行われる。
【００６９】
上記実施例によれば、定型のフォーマットあるいはテンプレートに基づくデザインから離れた、利用者の嗜好に応じた多様なデザインを構成することができ、そのデザインに基づき適正な料金を設定することができ、また、１つの情報処理装置ではがき等の印刷情報の設定から印刷処理まで、およびはがき等の購入まで行うことができ、利用者の利便性を高めることができる。
【実施例４】
【００７０】
本発明の第四の実施例の動作を以下に説明する。情報処理装置１が、送り先情報の選択を行う場合において第一〜三の実施の形態と同様の送り先情報の印刷機能を実現するものである。
【００７１】
情報処理装置１の実質的な構成は、第一の実施の形態と同様である。
【００７２】
以下、本実施の形態の情報処理装置１における処理の流れを説明する。
【００７３】
情報処理装置１が、送り先情報の選択を行う場合において第一〜三の実施の形態と同様の送り先情報の印刷処理手順を示す図である図９を参照すると、情報処理装置１が、取得部５ではがき等の印刷媒体に印刷する送り先情報を取得する動作は、第一の実施の形態と同様である（Ｓ９０１）。
【００７４】
そして、一件、送り先情報を取得した後に、次の送り先情報が存在するか否かを判定部により判定し（Ｓ９０２）、存在する場合には、さらに一件、送り先情報を取得する。一方、次の送り先情報が存在しない場合には、表示部６によりこれまで取得した送り先情報を表示する（Ｓ９０３）。これにより、不要な情報を取り込むことにより、後の処理動作が遅延することおよび不要な料金が加算されることを回避することができる。
【００７５】
以下、情報処理装置１が、フォーマット特定部８あるいはテンプレート特定部９でデザインを特定し、判断部で加工の要否を判断し、加工部１０で加工し、そして算出部１１で料金を計算する動作は、第三の実施の形態と同様である（Ｓ９０４〜Ｓ９０７）。
【００７６】
利用者が、算出部１１により計算された料金を確認して、予想金額より高額だった場合等において、精算部１２により、送り先情報あるいはデザインの変更が必要であるか否かが判断され（Ｓ９０８）、変更が必要である場合には、変更処理が行われる（Ｓ９０９）。変更処理は、送り先情報の変更の場合には、送り先情報が存在するか否かを判定する判定部により、変更され、また、デザインの変更の場合には、加工部１０により変更処理がなされてもよい。
【００７７】
一方、変更が必要ない場合には、精算部１２により料金の精算が行われる（Ｓ９１０）。
【００７８】
以下、情報処理装置１が、精算部１２で料金を精算し、印刷部１３で印刷し、そして排出部１４で排出する動作は、第三の実施の形態と同様である（Ｓ９１０〜Ｓ９１２）が、算出部１１での料金計算は、変更後のデータ数等を反映して行われる。
【００７９】
上記実施例によれば、利用者は、計算された料金を確認した後に自己の予算範囲内となる送り先人数に限定することあるいは、廉価なデザインに変更することができるため、料金が予算を超過することが回避され安心して印刷を行うことができる。
【実施例５】
【００８０】
本発明の第五の実施例の構成・動作を以下に説明する。
【００８１】
図２は、本実施形態における送り先情報印刷システムの概略構成を示す図である。図２を参照すると、本実施例は、情報処理装置１と、移動通信端末２とから構成されており、ネットワーク３を介して接続されている。情報処理装置１の実質的な構成は、第一の実施の形態と同様である。ネットワーク３は、データの送受信を行う機能を有していればよく、有線または無線のいずれであってもよい。例えば、有線としてＬＡＮ（Local Area Network）ケーブル等であり、無線として赤外線通信等である。なお、ネットワーク３を用いることなく、直接、情報処理装置１に移動通信端末２を嵌め込む等により接続することができる構成であってもよい。
【００８２】
移動通信端末２は、送り先情報を記憶する記憶媒体および／または送り先情報を情報処理装置１に送信する機能を備えている。例えば、携帯電話、ＰＨＳ（簡易型携帯電話）、ノート型パソコンまたは携帯情報端末である。
【００８３】
また、移動通信端末２は、図５に示すような、郵便番号、住所１、住所２、電話番号、メールアドレス、氏名、名称およびグループ種別の少なくとも１つの情報を記憶する記憶手段を備えていてもよい。記憶されるその情報は、１つまたは複数の送り先についての情報いずれであってもよい。なお、住所１とは、郵便番号データベースと整合性をチェックすることができる市区町村までを入力する項目であり、住所２とは、それ以下の番地名等を入力する項目であってもよい。また、グループ種別とは、友人、同僚または取引先等の文面等を変更する必要がある一定の属性をいう。
【００８４】
上記構成による、送り先情報印刷システムの動作は、情報処理装置１が取得する、送り先情報が移動通信端末２から送信されることを特徴とし、その他の必要な加工等を行い印刷処理を実行するまでの動作は第四の実施の形態と同様である。
【００８５】
上記実施例によれば、利用者は、携帯可能な移動通信端末を用いて簡易に送り先情報を入力することができ、また移動通信端末に記憶されている電子メールアドレスの有無あるいはグループ種別を利用してはがき等による郵送の必要の有無を判断したり、特定の用途別に送り先を分類することが容易に行うことができるようになり、利便性の向上が図られる。
【００８６】
なお、上述する実施の形態は、本発明の好適な実施の形態であり、本発明の要旨を逸脱しない範囲内において種々変更実施が可能である。例えば、送り先情報取得から印刷処理までを、用途別の異なるグループ毎に実行する場合において、例えば、友人向けのデザインを先に設定して友人用の印刷をすべて実行した後に仕事先向けのデザインを設定して印刷しても、数種類のデザインを設定し、デザイン毎の枚数を設定して一度の印刷処理により実行させてもいずれであってもよい。
【産業上の利用可能性】
【００８７】
本発明は、マルチメディア携帯端末を利用した印刷システムにも適用できる。
【図面の簡単な説明】
【００８８】
【図１】本発明の第一の実施形態における外観の概略を示す図である。
【図２】本発明の第五の実施形態におけるシステムの構成を示す図である。
【図３】本発明の実施形態における情報処理装置の機能を示すブロック図である。
【図４】本発明の送り先情報を印刷した印刷態様を示した図である。
【図５】本発明の第五の実施形態における移動通信端末に記憶されるデータ構成を示す図である。
【図６】本発明の第一の実施形態における印刷処理の動作を示すフローチャートである。
【図７】本発明の第二の実施形態における印刷処理の動作を示すフローチャートである。
【図８】本発明の第三の実施形態における印刷処理の動作を示すフローチャートである。
【図９】本発明の第四の実施形態における印刷処理の動作を示すフローチャートである。
【符号の説明】
【００８９】
１    情報処理装置
４    ＣＰＵ
５    取得部
６    表示部
７    ストック部
８    フォーマット特定部
９    テンプレート特定部
１０    加工部
１１    算出部
１２    精算部
１３    印刷部
１４    排出部
１５    郵便番号データベース
１６    フォーマットデータベース
１７    テンプレートデータベース
１８    枚数料金データベース
１９    データ数料金データベース
【図１】
2005178190.tif 000003
【図２】
2005178190.tif 000004
【図３】
2005178190.tif 000005
【図４】
2005178190.tif 000006
【図５】
2005178190.tif 000007
【図６】
2005178190.tif 000008
【図７】
2005178190.tif 000009
【図８】
2005178190.tif 000010
【図９】
2005178190.tif 000011